(57)【要約】【課題】冷却水を必要としない空冷式金属分離板について開示する。【解決手段】本発明に係る空冷式金属分離板は、金属板の中央部に、前面から背面に突出形成される反応ガスチャンネルと、前記背面に突出した反応ガスチャンネル間に形成される空気流路とを含むチャンネル部；前記チャンネル部の前面の枠に連続的に形成される第１のガスケット；及び前記チャンネル部の背面の枠に非連続的に形成され、前記非連続的部分が空気の移動通路となる第２のガスケット；を含むことを特徴とする。【選択図】図６
2013500567.tif 000002
【特許請求の範囲】
【請求項１】
金属板の中央部に、前面から背面に突出形成される反応ガスチャンネルと、前記背面に突出した反応ガスチャンネル間に形成される空気流路と、を含むチャンネル部；
前記チャンネル部の前面の枠に連続的に形成される第１のガスケット；及び
前記チャンネル部の背面の枠に非連続的に形成され、前記非連続的部分が空気の移動通路となる第２のガスケット；を含むことを特徴とする空冷式金属分離板。
【請求項２】
前記反応ガスチャンネルに反応ガスを導入する反応ガス流入マニホールドと、前記反応ガスチャンネルを通過した反応ガスを排出する反応ガス排出マニホールドと、を含む反応ガスマニホールドが前記金属板の両側縁部にそれぞれ開口形態で形成されていることを特徴とする、請求項１に記載の空冷式金属分離板。
【請求項３】
前記反応ガス流入マニホールドと反応ガス排出マニホールドの前面及び背面の枠に連続的に形成される第３のガスケットをさらに含むことを特徴とする、請求項２に記載の空冷式金属分離板。
【請求項４】
前記チャンネル部と前記反応ガス流入マニホールドとの間に反応ガス流入ホールが形成されており、
前記チャンネル部と前記反応ガス排出マニホールドとの間に反応ガス排出ホールが形成されていることを特徴とする、請求項２に記載の空冷式金属分離板。
【請求項５】
前記反応ガス流入マニホールド及び前記反応ガス排出マニホールドは、酸素ガス用マニホールド及び水素ガス用マニホールドにそれぞれ分割されていることを特徴とする、請求項２に記載の空冷式金属分離板。
【請求項６】
請求項１〜請求項５のうちいずれか一つの金属分離板と膜―電極接合体（Ｍｅｍｂｒａｎｅ  Ｅｌｅｃｔｒｏｄｅ  Ａｓｓｅｍｂｌｙ；ＭＥＡ）が順次積層されて形成される燃料電池スタック。
【請求項７】
請求項１〜請求項５のうちいずれか一つの２個以上の金属分離板がそれぞれの前面又は背面が対向する形態で接合されている分離板構造物と膜―電極接合体（ＭＥＡ）が順次積層されて形成される燃料電池スタック。
【発明の詳細な説明】
【技術分野】
【０００１】
本発明は、燃料電池用金属分離板に関するもので、より詳細には、空気冷却方式を通して冷却水の供給が要求されなく、空気の移動通路及び分離板の支持のための非連続的ガスケットを適用可能な空冷式金属分離板に関するものである。
【背景技術】
【０００２】
燃料電池（Ｆｕｅｌ  Ｃｅｌｌ）とは、燃料の酸化によって生じる化学エネルギーを電気エネルギーに直接変換する電池であって、最近、化石燃料の枯渇問題、二酸化炭素の発生による温室効果と地球温暖化などの問題を克服するために太陽電池などと共に多くの研究がなされている。
【０００３】
燃料電池は、一般に、水素と酸素の酸化、還元反応を用いて化学エネルギーを電気エネルギーに変換する。陰極では、水素が酸化されて水素イオンと電子に分離され、水素イオンは、電解質を通して陽極に移動する。このとき、電子は、回路を通して陽極に移動する。陽極では、水素イオン、電子及び酸素が反応して水になる還元反応が生じる。
【０００４】
燃料電池の単位セルは、電圧が低いことから実用性が低下するので、一般に、数個〜数百個の単位セルを積層して使用する。単位セルの積層時、それぞれの単位セル間の電気的接続を行い、反応ガスを分離させる役割をするものが分離板（Ｓｅｐａｒａｔｏｒ）であって、通常、これを多数連結したものを燃料電池スタックという。
【０００５】
従来の燃料電池用分離板は、グラファイトを流路形態によってミーリング加工することによって製作した。この場合、グラファイト材質の分離板は、スタック全体で５０％の費用、８０％以上の重さを占めていた。したがって、グラファイト材質の分離板には高費用、大きな体積などの問題があった。
【０００６】
前記グラファイト材質の分離板の問題を克服するために、金属材質の金属分離板が開発されたが、金属分離板は、加工性が容易であり、製造単価を下げることができるなどの多くの長所を有する。
【０００７】
以下、一般的な燃料電池用金属分離板について説明する。
【０００８】
まず、矩形状の金属板の中心部に反応ガスチャンネル及び冷却水チャンネルが形成され、その周辺を取り囲むガスケットが形成される。通常、反応ガスチャンネルと冷却水チャンネルを含んでチャンネル部といい、反応ガスチャンネルは、金属板の前面から背面にスタンピング工程によって突出形成され、冷却水チャンネルは、金属板の背面に突出した反応ガスチャンネル間の領域を活用して形成される。このように形成されたチャンネル部の構造により、反応ガスが金属板の前面上で流動し、冷却水は金属板の背面上で流動する。このような点から、金属板の前面を反応ガス流動面と称し、金属板の背面を冷却水流動面と称することもある。
【０００９】
このような構造を有する金属分離板は、水冷式（ｗａｔｅｒ―ｃｏｏｌｅｄ）金属分離板構造であって、チャンネル部の一側の冷却水流入マニホールドに流入する冷却水が冷却水チャンネルを通過しながら、燃料電池の動作時の活性化損失、陽極での還元反応及びジュール加熱（Ｊｏｕｌｅ  ｈｅａｔｉｎｇ）などの原因によって発生する熱を冷却させる。その後、前記の冷却過程を経た冷却水は、チャンネル部の他側の冷却水排出マニホールドを通して分離板の外部に抜け出る。
【００１０】
このような水冷式金属分離板の場合、燃料電池の動作時に発生する熱を冷却させるために、冷却水を金属分離板に継続して供給しなければならない。この場合、冷却水を供給するためのポンプ、イオン除去機、熱交換機などの装置が必要となり、これによって燃料電池システムの製造費用の上昇をもたらすようになる。そのため、このような水冷式金属分離板の問題を補完できる空冷式金属分離板が研究されてきた。
【００１１】
一方、既存の空冷式分離板の場合、黒煙分離板の冷却面を加工することによって空気の流出入部を製作した。しかし、この場合、分離板の体積が厚くなると同時にスタックの体積が大きくなるという短所があった。
【００１２】
また、金属薄板を成形して製作した分離板の場合、黒鉛などの冷却流路を別途に製作しにくという短所がある。
【００１３】
したがって、冷却流体である空気の円滑な出入が可能な構造を製造工程上で容易に具現できる方法が要求される。
【発明の概要】
【発明が解決しようとする課題】
【００１４】
本発明の目的は、非連続的なガスケット構造により、燃料電池の駆動時に発生する熱を冷却するための冷却水を必要とせず、分離板の空冷が可能な燃料電池用空冷式金属分離板を提供することにある。
【００１５】
また、本発明の目的は、前記空冷式金属分離板と膜―電極接合体（Ｍｅｍｂｒａｎｅ  Ｅｌｅｃｔｒｏｄｅ  Ａｓｓｅｍｂｌｙ；ＭＥＡ）が順次積層され、効率的な冷却構造を有する燃料電池スタックを提供することにある。
【課題を解決するための手段】
【００１６】
前記一つの目的を達成するための本発明の一実施例に係る燃料電池用空冷式金属分離板は、金属板の中央部に、前面から背面に突出形成される反応ガスチャンネルと、前記背面に突出した反応ガスチャンネル間に形成される空気流路とを含むチャンネル部；前記チャンネル部の前面の枠に連続的に形成される第１のガスケット；及び前記チャンネル部の背面の枠に非連続的に形成され、前記非連続的部分が空気の移動通路となる第２のガスケット；を含むことを特徴とする。
【００１７】
このとき、前記反応ガスチャンネルに反応ガスを導入する反応ガス流入マニホールドと、前記反応ガスチャンネルを通過した反応ガスを排出する反応ガス排出マニホールドとを含む反応ガスマニホールドが前記金属板の両側縁部にそれぞれ開口形態で形成されており、前記反応ガス流入マニホールド及び反応ガス排出マニホールドの前面及び背面の枠に連続的に形成される第３のガスケットをさらに含むことができる。
【００１８】
前記他の目的を達成するための本発明の一実施例に係る燃料電池スタックは、前記の提示された空冷式金属分離板及び膜―電極接合体（Ｍｅｍｂｒａｎｅ  Ｅｌｅｃｔｒｏｄｅ  Ａｓｓｅｍｂｌｙ；ＭＥＡ）が順次積層されて形成されることを特徴とする。
【００１９】
前記他の目的を達成するための本発明の他の一実施例に係る燃料電池スタックは、前記の提示された２個の空冷式金属分離板がそれぞれの前面が対向する形態で接合されている分離板構造物と膜―電極接合体（ＭＥＡ）が順次積層されて形成されることを特徴とする。
【発明の効果】
【００２０】
本発明に係る空冷式金属分離板は、非連続的ガスケットを通して分離板の空冷が可能であり、燃料電池の駆動時に発生する熱を冷却するための冷却水を必要としないという長所を有する。
【００２１】
また、本発明に係る空冷式金属分離板と膜―電極接合体（Ｍｅｍｂｒａｎｅ  Ｅｌｅｃｔｒｏｄｅ  Ａｓｓｅｍｂｌｙ；ＭＥＡ）を順次積層した燃料電池スタックは、前記空冷式金属分離板の空気流動面に金属本体の変形防止及び空気移動通路の確保のための非連続的ガスケットが配置され、効率的な冷却構造を有するという長所を有する。
【図面の簡単な説明】
【００２２】
【図１】本発明の一実施例に係る燃料電池用空冷式金属分離板を概略的に示した図である。
【図２】本発明の一実施例に係る燃料電池用空冷式金属分離板を概略的に示した図である。
【図３】本発明の一実施例に係る燃料電池用空冷式金属分離板を概略的に示した図である。
【図４】本発明の一実施例に係る燃料電池用空冷式金属分離板を概略的に示した図である。
【図５】本発明の一実施例に係る空冷式金属分離板の前面及び背面を示した図である。
【図６】本発明の一実施例に係る空冷式金属分離板の前面及び背面を示した図である。
【図７】本発明に係る空冷式金属分離板が適用された燃料電池スタックの例を示した図である。
【図８】本発明に係る空冷式金属分離板が適用された燃料電池スタックの例を示した図である。
【図９】本発明に係る空冷式金属分離板が適用された燃料電池スタックの例を示した図である。
【図１０】本発明に係る空冷式金属分離板が適用された燃料電池スタックの例を示した図である。
【図１１】本発明に係る空冷式金属分離板が適用された燃料電池スタックの例を示した図である。
【図１２】本発明に係る空冷式金属分離板が適用された燃料電池スタックの例を示した図である。
【図１３】多層の空冷式金属分離板構造体の例を示した側面図である。
【発明を実施するための形態】
【００２３】
以下、添付の各図面を参照して本発明に係る燃料電池用空冷式金属分離板及びこれを用いた燃料電池スタックについて詳細に説明する。
【００２４】
このような過程で図面に示した各線の厚さや構成要素の大きさなどは、説明の明瞭性と便宜上、誇張して図示する場合がある。
【００２５】
また、後述する各用語は、本発明での機能を考慮して定義された用語であって、これは、使用者、運用者の意図又は慣例によって変わり得る。
【００２６】
そのため、これら各用語は、本明細書全般にわたった内容に基づいて定義しなければならないだろう。
【００２７】
図１〜図４は、本発明の一実施例に係る燃料電池用空冷式金属分離板を概略的に示した図である。
【００２８】
本発明に係る空冷式金属分離板は、チャンネル部２１０、第１のガスケット２２０及び第２のガスケット２３０を含む。
【００２９】
チャンネル部２１０は、金属板２０１の中央部に、前面２０１ａから背面２０１ｂに突出形成される反応ガスチャンネル２０２ａと、前記背面２０１ｂに突出した反応ガスチャンネル２０２ａ間に形成される空気流路２０２ｂとを含む。
【００３０】
第１のガスケット２２０は、反応ガスチャンネル２０２ａの気密性を付与するために、チャンネル部２１０の前面２０１ａの枠に連続的に形成される。
【００３１】
第２のガスケット２３０は、空気流路２０２ｂでの空気の流れを達成するとともに積層時に金属分離板を支持するために、チャンネル部２１０の背面２０１ｂの枠に非連続的に形成される。
【００３２】
図１〜図４は、反応ガスが流動する金属分離板の長さ方向に沿う幅方向断面を示したものである。
【００３３】
図１の場合、チャンネル部２１０の両側枠の前面２０１ａに第１のガスケット２２０が形成されており、チャンネル部２１０の両側枠の背面２０１ｂに第２のガスケット２３０が形成されている。
【００３４】
図２及び図３の場合、チャンネル部２１０の両側枠の前面２０１ａに第１のガスケット２２０が形成されており、チャンネル部２１０の一側枠の背面２０１ｂのみに第２のガスケット２３０が形成されている。
【００３５】
図４の場合、チャンネル部２１０の両側枠の前面２０１ａに第１のガスケット２２０が形成されており、チャンネル部２１０の両側枠の背面２０１ｂには第２のガスケット２３０が形成されていない。
【００３６】
すなわち、チャンネル部２１０の両側枠の前面２０１ａに形成される第１のガスケット２２０は、気密のためのものであるので、金属分離板の長さ方向に沿って連続的に形成されなければならない。
【００３７】
一方、チャンネル部２１０の両側枠の背面２０１ｂに形成される第２のガスケット２３０は、空冷式の特性上、存在しなくてもよい。しかし、第２のガスケット２３０が全く形成されていない場合、燃料電池スタックを製造するために金属分離板と膜―電極接合体を順次積層するときにチャンネル部の枠部分が支持されなくなり、金属分離板の変形が発生し得る。したがって、第２のガスケット２３０は、チャンネル部２１０の両側枠の背面２０１ｂに非連続的に形成され、空気流路での空気流動を妨害しないとともに金属分離板を支持するようになる。
【００３８】
このように非連続的に形成される第２のガスケット２３０は、金属分離板の長さ方向に沿って両側に対称的に形成されてもよく、金属分離板の長さ方向に沿って両側に非対称的に形成されてもよい。
【００３９】
従来の水冷式金属分離板は、燃料電池の動作時の活性化損失、陽極での還元反応及びジュール加熱などによって発生する熱を冷却するために、冷却水を冷却水チャンネルに継続して供給しなければならなかった。しかし、本発明に係る空冷式金属分離板は、空気を通して冷却が行われるので、冷却水を供給しなくてもよい。また、分離板の背面のガスケットは、気密性を付与するためのものではなく、分離板を支持することによって分離板の変形を防止するために形成される。分離板の背面のガスケットでの非連続的部分は空気の移動通路となる。
【００４０】
図５及び図６は、本発明の一実施例に係る空冷式金属分離板の前面及び背面を示した図である。
【００４１】
まず、反応ガスが流動する空冷式金属分離板の前面を示す図５を参照すると、矩形状の金属板３１０の中心部に反応ガスチャンネル３４０及び空気流路３４５を含むチャンネル部が形成され、チャンネル部の周辺の枠を取り囲む第１のガスケット３３１が連続的に形成される。ここで、図５及び図６では、矩形状の金属板３１０の長さ方向の一部を省略した。
【００４２】
反応ガスチャンネル３４０は、スタンピング工程によって金属板の前面から背面に突出する形態で形成され、背面の反応ガスチャンネル３４０間の部分に空気流路３４５が形成され、反応ガスチャンネル３４０及び空気流路３４５を含んでチャンネル部を形成する。空気流路３４５は、金属板３１０の背面に突出した反応ガスチャンネル３４０間の領域を活用して形成したり、又は反応ガスチャンネル３４０間の部分が金属板３１０の前面に突出するようにスタンピング工程によって形成することができる。
【００４３】
前記チャンネル部の構造により、反応ガスは金属板３１０の前面上で流動し、空気は金属板の背面上で流動する。
【００４４】
次に、空気が流動する空冷式金属分離板の背面を示す図６を参照すると、図５の構造とほぼ同一であるが、チャンネル部の両側には非連続的に第２のガスケット３３２が形成されている。すなわち、第１のガスケット３３１は、反応ガスの気密のためのものであるので連続的に形成され、第２のガスケット３３２は、気密性を要しないとともに、分離板を支持するためのものであるので非連続的に形成される。
【００４５】
図６には、非連続的に形成される第２のガスケット３３２がチャンネル部の両側に対称的に形成されている例を示したが、非対称的に形成される場合もある。
【００４６】
一方、図５及び図６を参照すると、チャンネル部の長さ方向の一側に反応ガスをチャンネル部の反応ガスチャンネル３４０に導入するために形成された反応ガス流入マニホールドと、チャンネル部の長さ方向の他側に反応ガスチャンネル３４０から反応ガスを排出するために形成された反応ガス排出マニホールドとを含む反応ガスマニホールドは、それぞれ開口形態で形成されている。本発明は、空冷式金属分離板であるので、従来のような冷却水流入マニホールド又は冷却水排出マニホールドを要しない。
【００４７】
具体的に、反応ガス流入マニホールドは、酸素流入マニホールド３２０及び水素流入マニホールド３２８が分割形成されており、酸素流入マニホールド３２０又は水素流入マニホールド３２８とチャンネル部との間には反応ガス流入ホール３２５が形成される。同様に、反応ガス排出マニホールドは、酸素排出マニホールド３６０及び水素排出マニホールド３６８が分割形成されており、水素排出マニホールド３６８又は酸素排出マニホールド３６０とチャンネル部との間には反応ガス排出ホール３５０が形成される。
【００４８】
前記反応ガス流入マニホールドに形成される酸素流入マニホールド３２０と水素流入マニホールド３２８は、金属板３１０に予め分割された開口部を形成し、これを用いて分割形成することができ、また、それぞれのマニホールドを形成するための一体化された高分子フレーム構造によって分割形成することができる。そして、これは、反応ガス排出マニホールドに形成される酸素排出マニホールド３６０と水素排出マニホールド３６８の分割形成にも同様に適用することができる。
【００４９】
また、反応ガス流入マニホールドと反応ガス排出マニホールドの前面及び背面の枠には、酸素ガス及び水素ガスを密封するために第３のガスケット３３３が連続的に形成されている。第３のガスケット３３３は、第１のガスケット３３１や第２のガスケット３３２と同一の材質で形成することができ、ガスケットを形成するための射出成形時に第１のガスケット３３１や第２のガスケット３３２と同時に形成することができる。
【００５０】
図７〜図１２は、本発明に係る空冷式金属分離板が適用された燃料電池スタックの例を示した図である。
【００５１】
図７〜図１０は、一つの空冷式金属分離板と膜―電極接合体（Ｍｅｍｂｒａｎｅ  Ｅｌｅｃｔｒｏｄｅ  Ａｓｓｅｍｂｌｙ；ＭＥＡ）が順次積層されて形成される燃料電池スタックを示した図で、図１１及び図１２は、２個の空冷式金属分離板がそれぞれの前面が対向する形態で接合されている分離板構造物と膜―電極接合体（ＭＥＡ）が順次積層されて形成される燃料電池スタックを示した図である。
【００５２】
図７及び図８を参照すると、燃料電池スタックは、金属分離板４１０と膜―電極接合体４２０が順次積層されて形成される。金属分離板４１０で反応ガス及び空気が流動するチャンネル部の枠にはガスケットが形成されるが、分離板４１０の前面には連続的な第１のガスケット４１３が形成されており、分離板４１０の背面には非連続的な第２のガスケット４１４が形成されている。図７は、第２のガスケット４１４が形成された状態を示し、図８は、第２のガスケット４１４が形成されていない状態を示す。
【００５３】
上述したように、分離板の前面に形成される第１のガスケット４１３は、反応ガスチャンネル４１１に気密性を付与し、反応ガスを密封するためのものであるので連続的に形成され、分離板の背面に形成される第２のガスケット４１４は、空気流路４１２の開放を通した空気流動を妨害しないとともに膜―電極接合体４２０に対する支持役割をするために非連続的に形成される。
【００５４】
図７及び図８は、第１のガスケット４１３によって反応ガスチャンネル４１１間に通路が存在する例を示しており、図９及び図１０は、第１のガスケット４１３の厚さを最小限に減少させることによって反応ガスチャンネル４１１間に通路が存在しない例を示している。
【００５５】
反応ガスチャンネル４１１間に通路を存在させないことは、反応ガスチャンネル４１１を形成するための金属板の前面から背面へのスタンピング工程の他に、空気流路を形成するための背面から前面へのスタンピングを通しても行うことができる。反応ガスチャンネル４１１間に通路を存在させたり、それぞれの反応ガスチャンネル４１１を密閉することは、金属分離板の使用環境によって変わり得る。
【００５６】
図面には示していないが、金属分離板４１０の前面と膜―電極接合体４２０との間には、反応ガスチャンネル４１１を介して流動する反応ガスを膜―電極接合体４２０の表面に均一に分散させる多孔性媒体である気体拡散層をさらに含むことができる。
【００５７】
図１１及び図１２は、２個の空冷式金属分離板４１０ａ、４１０ｂがそれぞれの前面が対向する形態で接合されている分離板構造物と膜―電極接合体４２０が順次積層されて形成される燃料電池スタックを示した図である。図１１は、第１のガスケット４１３により、２個の金属分離板４１０の接合によって形成される反応ガスチャンネル４１１間に通路が存在する例を示しており、図１２は、第１のガスケット４１３の厚さを最小限に減少させることによって反応ガスチャンネル４１１間に通路が存在しない例を示している。
【００５８】
反応ガスチャンネル４１１間に通路を存在させないことは、上述したように、ガスケットの厚さによって行うことができ、また、反応ガスチャンネル４１１を形成するための金属板の前面から背面へのスタンピング工程の他に、空気流路を形成するための背面から前面へのスタンピングを通しても行うことができる。
【００５９】
反応ガスチャンネル４１１間に通路を存在させたり、それぞれの反応ガスチャンネル４１１を密閉することは、金属分離板の使用環境によって変わり得る。
【００６０】
図１３は、多層の空冷式金属分離板構造体の例を示す側面図である。
【００６１】
図１３を参照すると、図示した多層の空冷式金属分離板構造体では、連続的な第１のガスケット５１０、金属本体５０１、非連続的な第２のガスケット５２０、金属本体５０１、連続的な第１のガスケット５１０、金属本体５０１、非連続的な第２のガスケット５２０、金属本体５０１及び連続的な第１のガスケット５１０が下部から順次形成されている。
【００６２】
ここで、第１のガスケット５１０は、上述したように、チャンネル部に気密性を付与するために連続的に形成される。一方、第２のガスケット５２０は、第１のガスケット５１０とは異なり、非連続的に形成されて一つの第２のガスケットと他の第２のガスケットとの間に流路Ａを提供するようになる。
【００６３】
これによって、第２のガスケット５２０が形成されている部分は、各分離板を支持する役割をし、第２のガスケット５２０が形成されていない部分は、空気を流動させるための流路としての役割をする。
【００６４】
このような多層構造体は、４個の金属分離板を接合することによって形成できるが、この場合、一つの金属分離板の第１のガスケットと他の一つの金属分離板の第１のガスケットを接合し、一つの金属分離板の第２のガスケットと他の一つの金属分離板の第２のガスケットを接合するようになる。
【００６５】
上述したように、本発明に係る燃料電池用空冷式金属分離板は、燃料電池の駆動時に発生する熱を冷却するための冷却水を必要としないので、燃料電池の製造費用及び駆動費用を節減できるという効果を有する。
【００６６】
また、本発明に係る空冷式金属分離板と膜―電極接合体（ＭＥＡ）を順次積層した燃料電池スタックは、前記空冷式金属分離板の空気流動面に非連続的ガスケットが配置され、金属本体の変形を防止することができ、また、ガスケットの非連続的部分を通して空気の移動通路を確保できるようになる。これは、従来の水冷式金属分離板のガスケット構造を変更することによって容易に具現することができる。
【００６７】
本発明は、図面に示した実施例を参考にして説明したが、これは、例示的なものに過ぎなく、当該技術分野で通常の知識を有する者であれば、これから多様な変形及び均等な他の実施例が可能であることを理解するだろう。
【００６８】
したがって、本発明の真の技術的保護範囲は、下記の特許請求の範囲によって定めなければならないだろう。
【図１】
2013500567.tif 000003
【図２】
2013500567.tif 000004
【図３】
2013500567.tif 000005
【図４】
2013500567.tif 000006
【図５】
2013500567.tif 000007
【図６】
2013500567.tif 000008
【図７】
2013500567.tif 000009
【図８】
2013500567.tif 000010
【図９】
2013500567.tif 000011
【図１０】
2013500567.tif 000012
【図１１】
2013500567.tif 000013
【図１２】
2013500567.tif 000014
【図１３】
2013500567.tif 000015
【国際調査報告】
2013500567.tif 000016
2013500567.tif 000017
2013500567.tif 000018
2013500567.tif 000019